(57)【要約】【課題】回路構成の複雑化や大型化、消費電流の増加等を生じることなく、複数の発光モジュール間の発光色のばらつきを低減する。【解決手段】発光モジュール４０Ｌ，４０Ｒを同時に駆動して混色発光させる場合に、発光パターンを工夫することにより発光モジュール間の発光色のばらつきを目立たなくする。例えば、単色で発光させたのち混色発光に移行させる。また、混色の割合を変化させる場合に、ベース色を発光するＬＥＤの発光輝度を固定したうえで他のＬＥＤの発光輝度を段階的に変化させるようにし、かつこの段階的に変化させる場合の輝度の変化量に上限値を設ける。同一輝度による混色発光時間に上限を設定し、かつ同一輝度による混色発光時間が長いほど混色発光開始から終了までの全体の発光期間が短く設定する。【選択図】      図４
2005215195.tif 000002
【特許請求の範囲】
【請求項１】
発光色の異なる複数の発光素子を備える複数組の発光モジュールと、
前記複数組の発光モジュールを同時に駆動することにより二次元的な混色発光を行わせる発光制御ユニットと
を具備し、
前記発光制御ユニットは、
前記各発光モジュールを混色発光させる場合に、発光モジュールを構成する複数の発光素子を予め設定した時間差を設けて順次発光または発光終了させることを特徴とする発光装置。
【請求項２】
前記発光制御ユニットは、
各発光モジュールが混色発光している状態で混色の割合を変化させる場合に、第１の発光素子の発光輝度を固定し、第２の発光素子の発光輝度を段階的に変化させることを特徴とする請求項１記載の発光装置。
【請求項３】
前記発光制御ユニットは、
前記第２の発光素子の発光輝度を段階的に変化させる場合に、単位時間当たりの変化量を予め設定した値以内に設定することを特徴とする請求項２記載の発光装置。
【請求項４】
前記発光制御ユニットは、
前記各発光モジュールを、同一輝度で混色発光する定常期間と当該定常期間の前後に設定される輝度増加期間及び輝度減少期間とを有する発光パターンに従い発光制御する場合に、前記定常期間を第１の時間に設定した場合には前記定常期間と前記輝度増加期間及び輝度減少期間との合計時間を第２の時間に設定し、前記定常期間を前記第１の時間より長い第３の時間に設定した場合には前記定常期間と前記輝度増加期間及び輝度減少期間との合計時間を前記第２の時間より短い第４の時間に設定することを特徴とする請求項１乃至３のいずれかに記載の発光装置。
【請求項５】
複数のイベント機能を選択的に実行する電子機器本体と、
前記電子機器本体に設けられた発光装置と
を具備し、
前記発光装置は、
発光色の異なる複数の発光素子を備える複数組の発光モジュールと、
前記電子機器本体により実行されるイベント機能に対応する発光パターンに従い、前記複数組の発光モジュールを同時に駆動することにより、前記実行されるイベント機能を表す二次元的な混色発光を行わせる発光制御ユニットとを備え、
前記発光制御ユニットは、
前記各発光モジュールを混色発光させる場合に、発光モジュールを構成する複数の発光素子を予め設定した時間差を設けて順次発光開始又は発光終了させることを特徴とする電子機器。
【発明の詳細な説明】
【技術分野】
【０００１】
この発明は、例えば赤、青、緑の三個の発光素子を備える複数組の発光モジュールを同時に駆動することにより二次元的な混色発光を行う発光装置と、この発光装置を備えた例えば携帯電話端末やパーソナル・コンピュータ、オーディオビデオプレーヤ等の電子機器に関する。
【背景技術】
【０００２】
近年、例えば携帯電話端末においては、発光装置を設けることによりイルミネーション機能を実現した機種が開発されている。例えば、３色のＬＥＤ（Light Emitting Diode）を備えた発光モジュールを筐体面に配置し、着信や通話、アプリケーションの実行といった各種イベント機能に対応する発光パターンに従い上記発光モジュールを発光駆動する。このようにすると、メーカ又は通信事業者にとっては多彩なイルミネーションにより他機種との差別化が図れ、一方ユーザにとってはイルミネーションにより複数のイベント機能の視覚的な識別が可能になるといった利点を有する。
【０００３】
ところが、一般に発光モジュールはモジュール間で発光色や発光輝度等の発光特性にばらつきを有する。このため、例えば複数の発光モジュールを使用して二次元的な混色発光を行わせようとすると、発光モジュール間の発光特性のばらつきによりイルミネーションの美観が低下するとともに、所期のイルミネーション表現を実現できなくなってイベントの識別が困難になると云う不具合を生じる。
【０００４】
一方、発光モジュールのＬＥＤ間の輝度のばらつきを補正する技術として、ＬＥＤごとに（特に青色ＬＥＤに対し）異なる駆動回路を設け、これら異なる駆動回路によりＬＥＤを個別に起動することによりＬＥＤ間の輝度のばらつきを低減するものが提案されている（例えば、特許文献１を参照。）。
【特許文献１】特開平７−１２９１００公報
【発明の開示】
【発明が解決しようとする課題】
【０００５】
しかし、このような従来の補正技術は、異なる複数の駆動回路を用意する必要があるため、回路構成が複雑かつ大型化して装置のコストアップを招く。また、消費電流が増える原因になる。これは、携帯電話端末等のようにバッテリ駆動型の小型電子機器にあっては、機器の小型軽量化及び低消費電流化を図る上で大きな障害となり、きわめて好ましくない。
【０００６】
この発明は上記事情に着目してなされたもので、その目的とするところは、回路構成の複雑化や大型化、消費電流の増加等を生じることなく、複数の発光モジュール間の発光色のばらつきを低減し、これによりイルミネーションの美観を高めるとともにイベントの識別性を高く保持できるようにした発光装置及び発光装置を備えた電子機器を提供することにある。
【課題を解決するための手段】
【０００７】
上記目的を達成するためにこの発明は、発光色の異なる複数の発光素子を備える複数組の発光モジュールと、これら複数組の発光モジュールを同時に駆動することにより二次元的な混色発光を行わせる発光制御ユニットとを具備する発光装置にあって、上記発光制御ユニットにおいて、上記各発光モジュールを混色発光させる場合に、発光モジュールを構成する複数の発光素子を予め設定した時間差を設けて順次発光または発光終了させるように制御するようにしたものである。
【０００８】
したがってこの発明によれば、発光色が単色から順次混色に変化することになり、これにより仮に複数の発光モジュール間で発光特性にばらつきがある場合でも、両モジュール間の発光色のばらつきを目立たなくすることができる。しかも、発光パターンの工夫により発光色のばらつきを軽減しているので、発光素子ごとに異なる駆動回路を設ける必要がなく、これにより回路構成の複雑化や大型化、コストアップ、消費電流の増加を招く心配がない。これは、携帯電話端末等のようにバッテリ駆動型の小型電子機器にあっては、きわめて有用である。
【０００９】
またこの発明は、各発光モジュールが混色発光している状態で混色の割合を変化させる場合に、第１の発光素子の発光輝度を固定し、第２の発光素子の発光輝度を段階的に変化させるように制御することを特徴とする。このようにすると、混色発光が行われている時の混色の割合、つまり色味が一定の規則のもとで変化することになるため、混色発光時における両モジュール間の色味のばらつきをさらに目立たなくすることができる。
【００１０】
特に、上記第２の発光素子の発光輝度を段階的に変化させる際に、単位時間当たりの変化量を予め設定した値以内となるように制御すると、発光色が緩やかに変化するため、色味の変化の違和感を軽減できる。
【００１１】
さらにこの発明は、各発光モジュールを、同一輝度で混色発光する定常期間と当該定常期間の前後に設定される輝度増加期間及び輝度減少期間とを有する発光パターンに従い発光制御する場合に、上記定常期間を第１の時間に設定した場合には上記定常期間と上記輝度増加期間及び輝度減少期間との合計時間を第２の時間に設定し、上記定常期間を上記第１の時間より長い第３の時間に設定した場合には上記定常期間と上記輝度増加期間及び輝度減少期間との合計時間を上記第２の時間より短い第４の時間に設定することも特徴とする。
【００１２】
すなわち、同一輝度で混色発光する期間の長さが長いほど、混色発光開始から終了までの全体の発光期間が短くなるように発光パターンが設定される。このような発光パターンに従い各発光モジュールを駆動すると、同一輝度で混色発光している期間が長い場合にはその前後の起動増加及び輝度減少期間が短くなって輝度の変化が速くなるため、同一輝度の混色発光期間における色味のばらつきを目立たなくすることができる。
【発明の効果】
【００１３】
要するにこの発明では、複数の発光モジュールを混色発光させる場合に、発光モジュールを構成する複数の発光素子を予め設定した時間差を設けて順次発光または発光停止させたり、混色の割合を変化させる場合に第１の発光素子の発光輝度を固定して第２の発光素子の発光輝度を段階的に変化させるように制御する等、発光パターンに時間的及び輝度レベルの工夫を行っている。
【００１４】
したがってこの発明によれば、回路構成の複雑化や大型化、消費電流の増加等を生じることなく、複数の発光モジュール間の発光色のばらつきを低減し、これによりイルミネーションの美観を高めるとともにイベントの識別性を高く保持することを可能にした発光装置及び発光装置を備えた電子機器を提供することができる。
【発明を実施するための最良の形態】
【００１５】
図１はこの発明に係わる発光装置を備えた電子機器の一実施形態である携帯電話端末の外観を示す分解斜視図、図２は当該携帯電話端末を上から見た平面図である。この携帯電話端末は、下部筐体１００と上部筐体２００とをヒンジ機構により回動可能に結合したいわゆる折り畳み型の端末である。
【００１６】
この携帯電話端末の上部筐体２００の背面にはＵ型をなす導光板５０が設置され、さらにこの導光板５０の両端部にはそれぞれ発光モジュール４０Ｌ，４０Ｒが設置されている。発光モジュール４０Ｌ，４０Ｒは、赤色ＬＥＤ、青色ＬＥＤ及び緑色ＬＥＤを一組としてモジュール化したものからなる。導光板５０は、ポリカーボネート或いはアクリル等の導光性を有する樹脂により構成される。なお、２０１はサブディスプレイ、２０２はカメラであり、３００は半透明性を有する材質からなる背面カバーを示している。
【００１７】
図３は、この実施形態に係わる携帯電話端末の回路構成を示すブロック図である。  
同図において、図示しない基地局から無線チャネルを介して送られた無線信号は、アンテナ１で受信されたのちアンテナ共用器（ＤＵＰ）２を介して受信回路（ＲＸ）３に入力される。この受信回路３では、上記受信された無線信号が、周波数シンセサイザ（ＳＹＮ）４から出力された受信局部発振信号とミキシングされて受信中間周波信号に周波数変換される。そしてこの受信中間周波信号は、低域通過フィルタを含むアナログ／ディジタル（Ａ／Ｄ）変換器６においてサンプリングされたのち、ディジタル復調回路（ＤＥＭ）７に入力される。
【００１８】
ディジタル復調回路７では、上記ディジタル受信中間周波信号に対するフレーム同期およびビット同期が確立されたうえで、ディジタル復調処理が行なわれる。この復調処理により得られたベースバンドのディジタル復調信号は、時分割多元接続回路（ＴＤＭＡ）８に入力され、ここで伝送フレームごとに自己宛てのタイムスロットが分離抽出される。なお、上記ディジタル復調回路７において得られたフレーム同期およびビット同期の情報は制御回路２０に通知される。
【００１９】
上記ＴＤＭＡ回路８から出力されたディジタル復調信号は、続いて誤り訂正符号復号回路（ＣＨ−ＣＯＤ）９に入力され、ここで誤り訂正復号処理される。この誤り訂正復号されたディジタル復調信号には、そのときの通信形態によりメール等の情報データ、通話音声データとがある。このうち通話音声データは、音声符号復号回路（ＳＰ−ＣＯＤ）１０に入力されて音声復号化処理され、これによりディジタル受話信号が再生される。このディジタル受話信号は、ディジタル／アナログ（Ｄ／Ａ）変換器１１でアナログ受話信号に戻されたのち図示しない受話増幅器に入力され、ここで増幅されたのち受話器としてのスピーカ１３に供給されて拡声出力される。また、受信メールや受信ダウンロードデータ等の情報データは制御回路２０に取り込まれ、この制御回路２０によりメモリ（ＭＥＭ）２３に保存されると共に、復号されて表示部２２に表示される。
【００２０】
一方、話者の送話音声は、マイクロホン１４により集音されて送話信号に変換され、さらに図示しない送話増幅器により所定のレベルに増幅されたのちＡ／Ｄ変換器１２に入力される。そして、このＡ／Ｄ変換器１９において所定のサンプリング周期でサンプリングされ、これによりサンプルパルス列からなるディジタル送話信号に変換される。このディジタル送話信号は、図示しないエコーキャンセラで音響エコーがキャンセルされたのち、音声符号復号回路（ＳＰ−ＣＯＤ）１０に入力され、ここで音声符号化される。
【００２１】
この音声符号化されたディジタル送話信号は誤り訂正符号復号回路（ＣＨ−ＣＯＤ）９に入力され、ここで誤り訂正符号化される。また、制御回路２０から出力された画像データや送信メール等の情報データも上記誤り訂正符号復号回路９に入力され、誤り訂正符号化される。そして、この誤り訂正符号復号回路９から出力されたディジタル送信信号はＴＤＭＡ回路８に入力される。ＴＤＭＡ回路８では、時分割多元接続（ＴＤＭＡ）方式に対応した伝送フレームが生成され、この伝送フレーム中の自装置に割り当てられたタイムスロットに、上記ディジタル送信信号を挿入するための処理が行なわれる。
【００２２】
上記ＴＤＭＡ回路８から出力されたディジタル送信信号は、続いてディジタル変調回路（ＭＯＤ）１５に入力される。ディジタル変調回路１５では、上記ディジタル送信信号によりディジタル変調された送信中間周波信号が生成され、この送信中間周波信号はＤ／Ａ変換器１６によりアナログ信号に変換されたのち送信回路（ＴＸ）５に入力される。なお、ディジタル変調方式としては、例えばπ／４シフトＤＱＰＳＫ（π／４shifted，differentially encoded quadrature phase shift keying）方式が使用される。
【００２３】
送信回路５では、上記変調された送信中間周波信号が周波数シンセサイザ４から出力された送信局部発振信号とミキシングされ、これにより無線通話チャネルに対応する無線搬送波周波数に変換される。そして、この送信無線搬送波信号は図示しない送信電力増幅器で所定の送信電力レベルに制御されたのち、アンテナ共用器２を介してアンテナ１から図示しない基地局へ向けて送信される。
【００２４】
なお、キー入力部２１は、発信キー、終了キー、複数の機能キーおよびダイヤルキー等の通信に必要な各種キーを備える。表示器２２は、例えば液晶表示器（ＬＣＤ：Liquid Crystal Display）を使用したもので、制御回路２０から出力される表示データを表示する。表示データには、電話帳や送受信履歴などの管理データ、装置の動作状態を表すデータに加え、送受信メールや画像データなども含まれる。電源回路１８は、二次電池からなるバッテリ１７の出力電圧をもとに、携帯電話端末の各回路の動作に必要な電源電圧Ｖccを生成する。
【００２５】
メモリ２３は、例えばＲＡＭ或いはフラッシュメモリからなり、電話帳や、通信相手の端末或いは情報サイトから受信した電子メールやダウンロードデータを保存すると共に、カメラ２０２により撮像された画像データ等を保存する。またメモリ２３には、発光モジュール４０Ｌ，４０Ｒの発光動作を制御するための複数の発光制御データも記憶されている。各発光制御データは、携帯電話端末が備える複数のイベント機能のいずれかに対応している。発光制御データには、発光モジュール４０Ｌ，４０Ｒのいずれを駆動するかを指定するモジュール選択データと、発光モジュール４０Ｌ，４０Ｒを構成する各色ＬＥＤの発光輝度及び発光時間を指定する発光制御パターンデータとが含まれる。
【００２６】
ところで、発光装置部は次のように構成される。図４はその回路構成を示すブロック図である。  
すなわち発光装置部は、二組の発光モジュール４０Ｌ，４０Ｒと、発光駆動回路３０と、制御回路２０において実行される発光制御プログラム２０ａとから構成される。このうち発光駆動回路３０は、ＬＥＤドライバＩＣ３１と、モジュール選択スイッチ３２Ｌ，３２Ｒと、ＬＥＤ選択スイッチ３３ｒ，３３ｂ，３３ｇとを備えている。
【００２７】
発光制御プログラム２０ａは、携帯電話端末において実行されるイベント機能に対応する発光制御データをメモリ２３から選択的に読み出す。そして、この読み出された発光制御データに含まれるモジュール選択データを上記発光駆動回路３０のモジュール選択スイッチ３２Ｌ，３２Ｒに与え、また発光制御パターンデータにより指定される発光色ごとの輝度制御データを、指定される時間だけＬＥＤドライバＩＣ３１に与える。
【００２８】
モジュール選択スイッチ３２Ｌ，３２Ｒは、上記与えられたモジュール選択データに応じて導通状態又は非導通状態となり、これにより発光モジュール４０Ｌ，４０Ｒを選択的に動作させる。発光モジュール４０Ｌ，４０Ｒの選択形態としては、発光モジュール４０Ｌ，４０Ｒのいずれか一方を動作させる形態と、発光モジュール４０Ｌ，４０Ｒの両方を同時に動作させる形態とがある。
【００２９】
ＬＥＤドライバＩＣ３１は、上記制御回路２０から与えられた輝度制御データに応じてＬＥＤ選択スイッチ３３ｒ，３３ｂ，３３ｇに対し選択的に発光駆動パスルを供給し、これにより発光モジュール４０Ｌ，４０Ｒの各色ＬＥＤを指定された輝度で個別に発光させる。
【００３０】
次に、以上のように構成された発光装置の動作を説明する。図５は、発光制御プログラム２０ａの制御手順及び制御内容を示すフローチャートである。  
すなわち、携帯電話端末において、例えばゲーム等のアプリケーション・プログラムの実行によりイベントが開始されると、制御回路２０はステップ５ａからステップ５ｂに移行し、ここで先ず開始されたイベントの種類を判定する。続いて、ステップ５ｃにおいて、上記判定されたイベントの種類に対応する発光制御データを選択的に読み出し、この読み出された発光制御データに含まれるモジュール選択データをモジュール選択スイッチ３２Ｌ，３２Ｒに与える。この結果、例えばモジュール選択スイッチ３２Ｌ，３２Ｒがいずれも導通状態となり、これにより発光モジュール４０Ｌ，４０Ｒは両方とも動作可能状態になる。
【００３１】
またそれと共に制御回路２０は、上記読み出された発光制御データに含まれる発光制御パターンデータに従い、以下のように各色ＬＥＤの発光制御を開始する。すなわち、先ずステップ５ｄにおいて発光制御パターンのフェーズを順に選択し、この選択されたフェーズの輝度制御データをＬＥＤドライバＩＣ３１に出力する（ステップ５ｅ）。また、指定された計時時間をタイマにセットし、当該タイマをスタートさせる（ステップ５ｆ）。そして、ステップ５ｇにおいてタイムアウトを監視し、タイムアウトが検出された時点で上記輝度制御データの出力を終了する。
【００３２】
例えば、図６に示す発光制御パターンの第１のフェーズNo.１においては、青色ＬＥＤを輝度レベル「２０」で発光させるための輝度制御データを出力し、かつタイマに計時時間４０msecをセットして計時を行う。このため、発光駆動回路３０のＬＥＤドライバＩＣ３１からは、上記輝度制御データによりデューティ比が指定された発光駆動パルスがＬＥＤ選択スイッチ３３ｂに供給される。この結果、発光駆動パルスのデューティ比に従いＬＥＤ選択スイッチ３３ｂがオンオフ動作して、青色ＬＥＤが発光を開始する。そして、上記計時時間４０msecが経過すると、上記輝度制御データの出力が停止されて青色ＬＥＤの発光は停止される。かくして、第１のフェーズNo.１では青色ＬＥＤのみが輝度レベル「２０」で４０msecの期間発光する。
【００３３】
続いて第２のフェーズNo.２に移行すると、制御回路２０は青色ＬＥＤを輝度レベル「２０」で発光させるとともに、緑色ＬＥＤを輝度レベル「４」で発光させるための輝度制御データを出力し、かつタイマに計時時間２５msecをセットして計時を行う。このため、発光駆動回路３０のＬＥＤドライバＩＣ３１からは、上記輝度制御データによりデューティ比が指定された青色ＬＥＤ用の発光駆動パルス及び緑色ＬＥＤ用の発光駆動パルスがそれぞれＬＥＤ選択スイッチ３３ｂ及びＬＥＤ選択スイッチ３３ｇに供給される。この結果、各発光駆動パルスのデューティ比に従いＬＥＤ選択スイッチ３３ｂ及びＬＥＤ選択スイッチ３３ｇがそれぞれオンオフ動作し、これにより青色ＬＥＤ及び緑色ＬＥＤがそれぞれ発光を開始する。そして、上記計時時間２５msecが経過すると、上記輝度制御データの出力が停止されて青色ＬＥＤ及び緑色ＬＥＤの発光は停止される。かくして、第２のフェーズNo.２では、青色ＬＥＤ及び緑色ＬＥＤがそれぞれ輝度レベル「２０」及び「４」で２５msecの期間混色発光する。
【００３４】
以下同様に、ステップ５ｄで次のフェーズNo.３，No.４，・・・が選択されるごとに、制御回路２０はステップ５ｅ〜ステップ５ｇにより、当該フェーズで指定される輝度制御データを指定された時間だけＬＥＤドライバＩＣ３１に与える。このため、発光駆動回路３０のＬＥＤドライバＩＣ３１からＬＥＤ選択スイッチ３３ｂ，３３ｇ，３３ｒに対し選択的に、指定された発光時間だけ発光駆動パルスが供給され、この結果各色ＬＥＤは指定された輝度の割合で指定された時間だけ単色又は混色発光する。
【００３５】
そうして、最終フェーズＮｏ．１９における発光制御が終了すると、制御回路２０はステップ５ｈにてこれを検出して、発光制御パターンに従った一連の発光制御を終了する。なお、イベントがまだ続いている場合には、制御回路２０はステップ５ｂに戻って以上述べた発光制御を繰り返し実行する。
【００３６】
ところで発光制御パターンは、図６に示すように、混色発光を開始する場合にフェーズＮｏ．１，Ｎｏ．２、フェーズＮｏ．８，Ｎｏ．９、フェーズＮｏ．１３，Ｎｏ．１４のように先ず単色発光し、しかるのち混色発光に移行するように設定されている。また混色発光を終了する場合にも、フェーズＮｏ．６，Ｎｏ．７、フェーズＮｏ．１１，Ｎｏ．１２、フェーズＮｏ．１８，Ｎｏ．１９のように混色から一旦単色を経て発光を終了するように設定されている。このため、仮に各発光モジュール４０Ｌ，４０Ｒ間で発光輝度にばらつきがある場合でも、両発光モジュール４０Ｌ，４０Ｒ間の発光混色のばらつきを目立たなくすることができる。
【００３７】
また、混色の割合を変化させる場合に、図６に示すフェーズＮｏ．２〜Ｎｏ．６、フェーズＮｏ．９〜Ｎｏ．１１、フェーズＮｏ．１４〜Ｎｏ．１８のように、ベース色を発光するＬＥＤの発光輝度を固定（図６の例では「２０」）し、他方のＬＥＤの発光輝度を段階的に変化させるように設定している。しかも、上記発光輝度を段階的に変化させる際に、単位時間当たりの変化量に上限値（図６の例では「４」）を設定している。このようにすると、混色発光が行われている時の混色の割合が段階的にしかも緩やかに変化することになり、これにより混色発光時における両発光モジュール４０Ｌ，４０Ｒ間の色味のばらつきを目立たなくすることができる。
【００３８】
さらに、図６のフェーズＮｏ．４に示すように、同一輝度による混色発光時間の最長を１００msecに設定し、しかも同一輝度による混色発光時間が長いほど混色発光開始から終了までの全体の発光期間が短くなるように発光パターンを設定している。  
例えば、図６のフェーズＮｏ．４では同一輝度の発光時間が１００msecと長いため、このフェーズＮｏ．４を含むフェーズＮｏ．２〜Ｎｏ．６の混色発光期間の全長を２００msec以内に設定する。また、同一輝度の発光時間が８０msecの場合には、このフェーズを含む混色発光期間の全長を３２０msec以内に設定する。
【００３９】
これに対し、図６のフェーズＮｏ．１６のように同一輝度の発光時間が６０msecと短い場合には、このフェーズＮｏ．１６を含むフェーズＮｏ．１４〜Ｎｏ．１８の混色発光期間の全長を４２０msec以内と長く設定する。なお、同一輝度の発光時間が４０msec以下の場合には、このフェーズを含む混色発光期間の全長の上限をさらに長い５２０msecに設定する。
【００４０】
このような発光パターンに従い各発光モジュール４０Ｌ，４０Ｒを駆動すると、同一輝度で混色発光している期間が長い場合にはその前後の起動増加期間及び輝度減少期間が短くなって輝度の変化が速くなるため、同一輝度の混色発光期間における色味のばらつきを目立たなくすることができる。
【００４１】
以上述べたようにこの実施形態では、以下のような機能を備える発光制御パターンデータを作成してメモリ２３に格納しておく。そして、制御回路２０の発光制御プログラム２０ａが、実行中のイベントに対応する発光制御パターンデータを上記メモリ２３から読み出し、この読み出された発光制御パターンデータに従い発光駆動回路３０を駆動制御することにより、発光モジュール４０Ｌ，４０Ｒを混色発光させるようにしている。
【００４２】
（１）発光モジュール４０Ｌ，４０Ｒを同時に駆動して混色発光させる場合に、単色で発光させたのち混色発光に移行させる。つまり、ＬＥＤ間の発光開始タイミング及び終了タイミングに時間差を設ける。  
（２）混色の割合を変化させる場合に、ベース色を発光するＬＥＤの発光輝度を固定したうえで、他のＬＥＤの発光輝度を段階的に変化させるようにし、かつこの段階的に変化させる場合の輝度の変化量に上限値を設ける。  
（３）同一輝度による混色発光時間に上限（例えば１００msec）を設定し、かつ同一輝度による混色発光時間が長いほど混色発光開始から終了までの全体の発光期間が短く設定する。
【００４３】
したがってこの実施形態によれば、発光モジュール４０Ｌ，４０Ｒ間で発光輝度にばらつきが存在する場合でも、各発光モジュール４０Ｌ，４０Ｒ間の発光混色のばらつきを目立たなくすることができる。これは、図１及び図２に示すように各発光モジュール４０Ｌ，４０Ｒ間に導光板５０を設けている場合に特に有効である。すなわち、導光板５０を用いると、各発光モジュール４０Ｌ，４０Ｒの発光が点状の発光ではなく線状、つまり二次元的な発光となる。このため、発光モジュール４０Ｌ，４０Ｒ間に発光輝度のばらつきが存在すると、このばらつきによる発光色の違いが導光板上に顕著に表れ、美観の低下は勿論のこと発光色の認識が困難になる。ところが、本実施形態のように発光パターンを工夫して発光モジュール４０Ｌ，４０Ｒ間の発光混色のばらつきを目立たなくすると、導光板５０を用いた二次元的な混色発光を高品質に行うことができる。
【００４４】
また、発光パターンの工夫により発光色のばらつきを軽減しているので、ＬＥＤごとに異なる駆動回路を設ける必要がなくなり、これにより回路構成の複雑化や大型化、コストアップ、消費電流の増加を防止できる。これは、携帯電話端末等のように端末の小型軽量化及びバッテリ寿命の延長が重要課題の一つとなっている電子機器にあっては、きわめて有用である。
【００４５】
なお、この発明は上記実施形態に限定されるものではない。例えば、前記実施形態では２個の発光モジュール４０Ｌ，４０Ｒを同時駆動する場合を例にとって説明したが、３個以上の発光モジュールを動じ駆動する場合にも、この発明を適用できる。また、発光モジュールを構成するＬＥＤの数は赤色、青色、緑色のうちの２個でもよい。さらに、前記実施形態では３色のＬＥＤのうち２色のＬＥＤを時間をおいて順次駆動することにより混色発光させる場合を例にとったが、３色のＬＥＤを時間をおいて順次駆動することにより混色発光させるようにしてもよい。また、発光素子としてはＬＥＤ以外にランプや液晶、ＥＬ素子等を使用することができる。
【００４６】
この発明に係わる発光装置は、携帯電話端末以外に固定電話端末やファクシミリ端末、パーソナル・コンピュータ、ＰＤＡ（Personal Digital Assistants）等の他の通信端末機器や、カーステレオ等の車載電子機器、オーディオビデオプレーヤ、ゲーム機器、店舗用販売端末機器、広告表示装置等のその他の電子機器にも適用可能である。
【００４７】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００４８】
【図１】この発明に係わる発光装置を備えた電子機器の一実施形態である携帯電話端末の外観を示す分解斜視図。
【図２】図１に示した携帯電話端末を上から見た平面図。
【図３】図１に示した携帯電話端末の回路構成を示すブロック図。
【図４】図３に示した携帯電話端末の要部である発光装置部分の回路構成を示す図。
【図５】図３に示した携帯電話端末が備える発光制御プログラムの制御手順と制御内容を示すフローチャート。
【図６】図３に示した携帯電話端末が備える発光制御パターンの一例を示す図。
【符号の説明】
【００４９】
１…アンテナ、２…アンテナ共用器（ＤＵＰ）、３…受信回路（ＲＸ）、４…周波数シンセサイザ（ＳＹＮ）、５…送信回路（ＴＸ）、６，１２…Ａ／Ｄ変換器、７…ディジタル復調回路（ＤＥＭ）、８…時分割多元接続回路（ＴＤＭＡ）、９…誤り訂正符号復号回路（ＣＨ−ＣＯＤ）、１０…音声符号復号回路（ＳＰ−ＣＯＤ）、１１，１６…Ｄ／Ａ変換器、１３…スピーカ、１４…マイクロホン、１５…ディジタル変調回路（ＭＯＤ）、１７…バッテリ、１８…電源回路（ＰＯＷ）、２０…制御回路、２０ａ…発光制御プログラム、２１…入力部、２２…表示部、２３…メモリ（ＭＥＭ）、３０…発光駆動回路、３１…ＬＥＤドライバＩＣ、３２Ｌ，３２Ｒ…モジュール選択スイッチ、３３ｒ，３３ｂ，３３ｇ…ＬＥＤ選択スイッチ、４０Ｌ，４０Ｒ…発光モジュール、５０…導光板、１００…下部筐体、２００…上部筐体、３００…背面パネル。
【図１】
2005215195.tif 000003
【図２】
2005215195.tif 000004
【図３】
2005215195.tif 000005
【図４】
2005215195.tif 000006
【図５】
2005215195.tif 000007
【図６】
2005215195.tif 000008